(57)【要約】【課題】製造工数を削減してコスト低減に寄与するとともに十分な接合強度を確保する。【解決手段】クラッチ装置を介してエンジンの動力が伝達されるクラッチドラム２と、クラッチドラム２の側面部２１に接合される動力伝達部材（３）と、を有するクラッチドラムコンプリート１の製造方法であって、側面部２１および動力伝達部材（３）の端面部３１のうち少なくとも一方に形成された凸状溶着部３２を側面部２１と端面部３１との間に挟んだ状態で、電気抵抗溶接によって側面部２１と端面部３１とを電極８１，８２で押圧しながら凸状溶着部３２を溶接して、この溶接した凸状溶着部３２からなる溶着接合部３２０を介して側面部２１と端面部３１とを溶着接合する。【選択図】図５
2016050588.tif 000002
【特許請求の範囲】
【請求項１】
クラッチ装置を介してエンジンの動力が伝達されるクラッチドラムと、このクラッチドラムの側面部に接合される動力伝達部材と、を有するクラッチドラムコンプリートの製造方法であって、
前記側面部および前記動力伝達部材の端面部のうち少なくとも一方に形成された凸状溶着部を前記側面部と前記端面部との間に挟んだ状態で、電気抵抗溶接によって当該側面部と当該端面部とを電極で押圧しながら当該凸状溶着部を溶接して、当該溶接した凸状溶着部からなる溶着接合部を介して当該側面部と当該端面部とを溶着接合すること、を特徴とするクラッチドラムコンプリートの製造方法。
【請求項２】
前記クラッチドラムは、前記側面部の中心部に形成された貫通穴と、
この貫通穴の内周部に形成された凹部と、を有し、
前記動力伝達部材は、前記端面部に形成された前記貫通穴に挿通されるボス部と、
このボス部の外周部に形成された前記凹部に食い込ませて係合させる係合凸部と、を有し、
前記凹部と前記係合凸部とを係合させた状態で、前記側面部と前記端面部とを溶着接合すること、
を特徴とする請求項１に記載のクラッチドラムコンプリートの製造方法。
【請求項３】
前記貫通穴の内周部に、バーリング加工によってフランジ部が形成されていること、
を特徴とする請求項２に記載のクラッチドラムコンプリートの製造方法
【請求項４】
前記動力伝達部材は、外周部から径方向外側に伸びる多数の歯部が形成されたギヤ部材であり、
前記歯部に前記凸状溶着部が形成されていること、
を特徴とする請求項１から請求項３のいずれか１項に記載のクラッチドラムコンプリートの製造方法。
【請求項５】
クラッチ装置を介してエンジンの動力が伝達されるクラッチドラムと、このクラッチドラムの側面部に固定される動力伝達部材と、を有するクラッチドラムコンプリートの製造方法であって、
前記側面部および前記動力伝達部材の端面部のうちの一方に形成された凸状部を他方に形成された貫通穴に挿通した状態で、前記凸状部をかしめて前記クラッチドラムと前記動力伝達部材とを一体として結合すること、
を特徴とするクラッチドラムコンプリートの製造方法。
【発明の詳細な説明】
【技術分野】
【０００１】
本発明は、クラッチドラムコンプリートの製造方法に係り、特に、電気抵抗溶接によってクラッチドラムの側面部と動力伝達部材の端面部とを接合するクラッチドラムコンプリートの製造方法に関する。
【背景技術】
【０００２】
チェンソーを駆動するスプロケットと遠心クラッチのクラッチドラムとを接合して製作されるクラッチドラムコンプリートは、エンジンが発生する駆動トルクや負荷が急激に変動して過酷な使用条件にさらされるため、十分な接合強度を確保することが必要である。このため、クラッチドラムコンプリートを構成するスプロケットとクラッチドラムとの接合方法として、銅ロー付けや電気抵抗溶接による種々の接合方法が知られている（例えば、特許文献１，２）。
【先行技術文献】
【特許文献】
【０００３】
【特許文献１】特公平０７−００３２５２号公報（段落０００２〜００１１、図２，４，８参照）
【特許文献２】特許第３７９９０４４号公報（請求項１、段落００１５、図３参照）
【発明の概要】
【発明が解決しようとする課題】
【０００４】
しかしながら、特許文献１に記載の銅ロー付けによる接合方法では、高温の炉中で処理をすることから被駆動軸が脱炭や拡散し焼き戻しされ、クラッチドラムの素材組織が軟化し脆くなるため、さらに熱処理や研磨工程を必要とし加工工数が増大するという問題があった。
【０００５】
特許文献２に記載の電気抵抗溶接による接合方法では、第１の金属部品（スプロケット）に形成した突起部を第２の金属部品に形成した切り欠き部に嵌合させた状態で、当該突起部を切り欠き部に溶かし潰して食い込ませるため、突起部や切り欠き部の加工工数が増大するという問題があった。
【０００６】
本発明は、このような背景に鑑みてなされたものであり、高性能、軽量化、製造工数を削減してコスト低減に寄与するとともに十分な接合強度を確保することができるクラッチドラムコンプリートの製造方法を提供することを課題とする。
【課題を解決するための手段】
【０００７】
前記課題を解決するため、本発明は、クラッチ装置を介してエンジンの動力が伝達されるクラッチドラムと、このクラッチドラムの側面部に接合される動力伝達部材と、を有するクラッチドラムコンプリートの製造方法であって、前記側面部および前記動力伝達部材の端面部のうち少なくとも一方に形成された凸状溶着部を前記側面部と前記端面部との間に挟んだ状態で、電気抵抗溶接によって当該側面部と当該端面部とを電極で押圧しながら当該凸状溶着部を溶接して、当該溶接した凸状溶着部からなる溶着接合部を介して当該側面部と当該端面部とを溶着接合すること、を特徴とする。
【０００８】
本発明に係るクラッチドラムコンプリートの製造方法は、前記側面部および前記端面部のうち少なくとも一方に形成された凸状溶着部を電気抵抗溶接によって押圧しながら溶着して、凸状溶着部を溶接して形成された溶着接合部を介して前記クラッチドラムの側面部と前記動力伝達部材の端面部とを溶着接合する。そして、クラッチドラムの側面部と動力伝達部材の端面部との間に溶着接合部が密着して介在されることで、十分な接合強度を確保することができる。
【０００９】
このため、本発明に係るクラッチドラムコンプリートの製造方法は、エンジンによる駆動トルクや負荷が急激に変動して過酷な使用条件にさらされるクラッチドラムと動力伝達部材との接合手段として好適に適用することができる。
【００１０】
また、本発明に係るクラッチドラムコンプリートの製造方法は、前記側面部および前記端面部のうち少なくとも一方に凸状溶着部を形成するという簡易な加工形態を採用し、切り欠き部を形成したり、切り欠き部に突起部を溶融嵌合させたりしなくても十分な接合強度を確保することができるため、加工工数および製造工程を効果的に抑制することができる。
【００１１】
このようにして、本発明に係るクラッチドラムコンプリートの製造方法は、製造工数を削減してコスト低減に寄与とともに十分な接合強度を確保することができる。
【００１２】
本発明の請求項２に係る発明は、請求項１に記載のクラッチドラムコンプリートの製造方法であって、前記クラッチドラムは、前記側面部の中心部に形成された貫通穴と、この貫通穴の内周部に形成された凹部と、を有し、前記動力伝達部材は、前記端面部に形成された前記貫通穴に挿通されるボス部と、このボス部の外周部に形成された前記凹部に食い込ませて係合させる係合凸部と、を有し、前記凹部と前記係合凸部とを係合させた状態で、前記側面部と前記端面部とを接合すること、を特徴とする。
【００１３】
かかる構成により、凹部は、例えば、動力伝達部材の軸心部の形状に適合するように形成して前記凹部と前記係合凸部とを係合させた状態で、前記側面部と前記端面部とを接合することで、クラッチドラムコンプリートに対して、より強固な廻り止め機能を付加することも可能となる。
このため、エンジンの駆動トルクが高いより過酷な使用条件であっても好適に適用することができる。
【００１４】
本発明の請求項３に係る発明は、請求項２に記載のクラッチドラムコンプリートの製造方法であって、前記貫通穴の内周部に、ギヤ形状のバーリング加工によってフランジ部が形成されていること、を特徴とする。
【００１５】
かかる構成によれば、前記貫通穴の内周部は、ギヤ形状のバーリング加工によって軸方向に沿って延びるフランジ部を形成することで、前記貫通穴の内周部の剛性を向上させることができるため、回転方向のトルクをさらに効果的に伝達することができる。
【００１６】
このため、本発明は、エンジンの駆動トルクが高いより過酷な使用条件であってもより好適に適用することができる。また、ギヤ形状のバーリング加工によってフランジ部を形成し剛性を向上させることで、クラッチドラムの板厚を薄くして軽量化を図るとともに、かつ切削加工で製作する場合よりも製造工数を削減することができる。
【００１７】
本発明の請求項４に係る発明は、請求項１から請求項３のいずれか１項に記載のクラッチドラムコンプリートの製造方法であって、前記動力伝達部材は、外周部から径方向外側に伸びる多数の歯部が形成されたギヤ部材であり、前記歯部に前記凸状溶着部が形成されていること、を特徴とする。
【００１８】
かかる構成によれば、ギヤ部材の歯部を係合凸部として利用することで、加工工数の増加を効果的に抑制することができる。
【００１９】
本発明の請求項５に係る発明は、クラッチ装置を介してエンジンの動力が伝達されるクラッチドラムと、このクラッチドラムの側面部に固定される動力伝達部材と、を有するクラッチドラムコンプリートの製造方法であって、前記側面部および前記動力伝達部材の端面部のうちの一方に形成された凸状部を他方に形成された貫通穴に挿通した状態で、前記凸状部をかしめて前記クラッチドラムと前記動力伝達部材とを一体として結合すること、を特徴とする。
【００２０】
かかる構成によれば、簡易な構成により高い廻り止め機能を確保してクラッチドラムと前記動力伝達部材とを一体として結合することができる。
【００２１】
なお、本明細書において、スプロケットや歯車等の多数の歯部が形成された動力伝達部材を総称して「ギヤ部材」という。
【発明の効果】
【００２２】
本発明に係るクラッチドラムコンプリートの製造方法は、製造工数を削減してコスト低減に寄与するとともに十分な接合強度を確保することができる。このため、エンジンによる駆動トルクや負荷が急激に変動して過酷な使用条件にさらされるチェンソー等のクラッチドラムコンプリートに好適に適用することができる。
【図面の簡単な説明】
【００２３】
【図１】本発明の実施形態に係るクラッチドラムコンプリートの使用例を示す斜視図である。
【図２】本発明の実施形態に係るクラッチドラムコンプリートを構成するクラッチドラムを示し、（ａ）は（ｂ）のI−I線正面断面図、（ｂ）は右側面図である。
【図３】本発明の実施形態に係るクラッチドラムコンプリートを構成するスプロケットを示し、（ａ）は（ｂ）のII−II線正面断面図、（ｂ）は右側面図である。
【図４】本発明の実施形態に係るクラッチドラムコンプリートの構成を示す図であり、（ａ）は分解斜視図、（ｂ）は組み合わせた状態を示す正面断面図である。
【図５】本発明の実施形態に係るクラッチドラムコンプリートの製造方法を示す断面図であり、（ａ）はスプロケットを一方の電極に装着した状態、（ｂ）はスプロケットにクラッチドラムをセットして他方の電極で挟んだ状態、（ｃ）は電気抵抗溶接によって凸状溶着部を溶接した状態を示す。
【図６】本発明の第１変形例に係るクラッチドラムコンプリートのスプロケットを示し、（ａ）は（ｂ）のIII−III線正面断面図、（ｂ）は右側面図である。
【図７】本発明の第１変形例に係るクラッチドラムコンプリートのクラッチドラムを示し、（ａ）は（ｂ）のIV−IV線正面断面図、（ｂ）は右側面図である。
【図８】本発明の第１変形例に係るクラッチドラムコンプリートの構成を示す図であり、（ａ）は分解斜視図、（ｂ）は組み合わせた状態を示す正面断面図である。
【図９】本発明の実施形態に係るクラッチドラムコンプリートの第２変形例を示す図であり、（ａ）は分解斜視図、（ｂ）は組み合わせた状態を示す正面断面図である。
【図１０】本発明の実施形態に係るクラッチドラムコンプリートのスプロケットの変形例を示し、（ａ）は（ｂ）のＶ−Ｖ線正面断面図、（ｂ）は右側面図である。
【図１１】本発明の実施形態に係るクラッチドラムコンプリートの第３変形例を示す図であり、（ａ）は分解斜視図、（ｂ）は組み合わせた状態を示す正面断面図である。
【図１２】本発明の第３変形例に係るクラッチドラムコンプリートの製造方法を示す断面図であり、（ａ）はスプロケットを一方のかしめ治具に装着した状態、（ｂ）はスプロケットにクラッチドラムをセットして他方のかしめ治具で挟んだ状態、（ｃ）は凸状部をかしめた状態を示す。
【発明を実施するための形態】
【００２４】
本発明の実施形態に係るクラッチドラムコンプリート１の製造方法について、適宜図１から図５を参照しながら詳細に説明する。
クラッチドラムコンプリート１は、図１に示すように、クラッチドラム２と、このクラッチドラム２に一体として接合して回転駆動させる動力伝達部材であるスプロケット３（図２参照）と、を備えている。クラッチドラムコンプリート１は、チェンソー等に搭載される完成部品（搭載部品）であり、エンジン（不図示）から伝動軸１１を介して伝達された駆動力を遠心クラッチ等のクラッチ装置１２を介してクラッチドラム２からスプロケット３に伝達してチェン１３を回転駆動させる装置である。
【００２５】
本発明の実施形態に係るクラッチドラムコンプリート１の製造方法は、図５に示すように、クラッチドラム２の側面部２１とスプロケット３の端面部３１を溶着接合してクラッチドラムコンプリート１を製造する。
【００２６】
なお、本実施形態では、動力伝達部材として多数の歯部３４が形成されたギヤ部材であるスプロケット３を一例として説明するが、これに限定されるものではなく、ギヤ部材は平歯車等の歯車であってもよく、また動力伝達部材はギヤ部材でなくてもよく、ベルト等の環状伝達部材を介して動力が伝達されるプーリ等であっても同様に適用することができる。
【００２７】
＜クラッチドラム＞
クラッチドラム２は、クラッチシュー等（不図示）のクラッチ装置１１（図１参照）を構成する部材であり、図２に示すように、例えばプレス成形等によって有底のカップ形状をなして形成され、底部を構成する側面部２１と、側面部２１から連続して直交する軸方向に延びて形成された胴部を構成する円環状のドラム部２２と、を備えている。
クラッチドラム２は、ドラム部２２の内周部には図示しないエンジンの伝動軸１１に装着されたクラッチシュー（不図示）が押し付けられて駆動力が伝達される。
【００２８】
側面部２１は、中心部（軸心部）に形成された貫通穴２３と、この貫通穴２３の内周部に形成された凹部２４と、貫通穴２３の内周部にバーリング加工によって形成されたフランジ部２３ａと、を備えている。
貫通穴２３と凹部２４は、例えば、プレス成形（ピアス加工）によって同時に打ち抜いて加工することができる。
【００２９】
凹部２４は、スプロケット３に形成された歯部３４の基端部に適合するように、略台形形状をなして構成され、円周方向に沿って８等配に８箇所が配設されている。貫通穴２３の内周部には、全周に渡り凹部２４も含めてフランジ部２３ａが形成されている（図２（ｂ）参照）。フランジ部２３ａは、軸方向に沿って延びるように形成され、貫通穴２３と凹部２４を形成するピアス加工の後、プレス成形によるバーリング加工によって成形することができる。貫通穴２３の内周部および凹部２４にフランジ部２３ａを形成することで、凹部２４の剛性をより向上させて駆動トルクを確実に伝達することができる。
【００３０】
図２（ｂ）に二点鎖線（仮想線）で示したのは、スプロケット３の歯部３４の形状であり、スプロケット３の歯部３４の基端部の形状に対して凹部２４の形状が適合して、凹部２４にスプロケット３の歯部の根本部（基部）が嵌入されるようになっている（図５（ｂ）参照）。
【００３１】
なお、本実施形態においては、クラッチドラム２をプレス成形加工によって製作したが、これに限定されるものではなく、切削加工や鍛造成形で製作することもできる。
【００３２】
＜スプロケット＞
スプロケット３は、図３（ｂ）に示すように、外周部にチェン１３（図１参照）に係合される多数の歯部３４（本実施形態では８等配で８箇所）が形成されたギヤ部材である。
スプロケット３は、図３（ａ）に示すように、一方の端面部３１（図の左の端面部）に形成された凸状溶着部３２と、図示しない軸が嵌入される軸穴３３と、を備えている。
【００３３】
凸状溶着部３２は、歯部３４の先端部に形成され、歯部３４の端面から軸方向に突出するように図示断面が直角三角形である略三角錐形状をなしている。凸状溶着部３２は、電気抵抗溶接によって大電流が流れると、クラッチドラム２の側面部２１とスプロケット３の端面部３１との間に挟まれた状態で溶着されてクラッチドラム２の側面部２１とスプロケット３の端面部３１とを溶着接合する。
【００３４】
また、スプロケット３の端面部３１（図の左の端面部）には、軸方向に張り出したボス部３１ａが形成されている。このボス部３１ａをクラッチドラム２の貫通穴２３に挿通した状態で（図５（ｂ）参照）、クラッチドラム２の側面部２１とスプロケット３の端面部３１とが一体として接合される（図５（ｃ）参照）。
【００３５】
このため、ボス部３１ａの外周部は、クラッチドラム２の凹部２３の台形形状に適合して嵌入できるように歯部３４の根本部の形状に合致する台形形状の係合凸部３１ｂが形成されている。
【００３６】
続いて、クラッチドラムコンプリート１の製造方法について、主として図４と図５を参照しながら説明する。
クラッチドラムコンプリート１の製造方法は、スプロケット３の端面部３１に形成された凸状溶着部３２をクラッチドラム２の側面部２１とスプロケット３の端面部３１との間に挟んだ状態で、いわゆるスポット溶接やプロジェクション溶接等の電気抵抗溶接によって、一方の電極８１と他方の電極８２との間に大電流を流して抵抗熱によりクラッチドラム２の側面部２１とスプロケット３の端面部３１とを溶着接合する。
一方の電極８１は、図５（ａ）に示すように、スプロケット３を位置決めして載置する電極であり図の下方に配設され、セラミック材からなるガイド部材が上部にはめ込まれている。他方の電極８２は、図５（ｂ）に示すように、図の上方に配設されている。一方の電極８１と他方の電極８２で挟むようにして押圧しながら電気抵抗溶接をする。
【００３７】
＜位置決め工程＞
具体的には、図５（ａ）に示すように、一方の電極８１に凸状溶着部３２が上に向くようにしてスプロケット３を載置した状態でスプロケット３のボス部３１ａとクラッチドラム２の貫通穴２３とを軸心を合わせて位置決めする（図４参照）。
【００３８】
＜溶着接合工程＞
図５（ｂ）に示すように、クラッチドラム２を図の下方に移動させて、スプロケット３のボス部３１ａにクラッチドラム２の貫通穴２３を嵌入する。このとき、スプロケット３の係合凸部３１ｂにクラッチドラム２の凹部２４が嵌合される。
スプロケット３の端面部３１に形成された凸状溶着部３２がクラッチドラム２の側面部２１とスプロケット３の端面部３１との間に挟まれた状態で電気抵抗溶接が行われる。
【００３９】
溶着接合工程では、電気抵抗溶接によって、クラッチドラム２の側面部２１とスプロケット３の端面部３１とを一方の電極８１と他方の電極８２で外側から挟むようにして押圧しながらクラッチドラム２の側面部２１とスプロケット３の端面部３１とを溶着接合する。
【００４０】
本発明の実施形態に係るクラッチドラムコンプリート１は、図５（ｃ）に示すように、クラッチドラム２の側面部２１とスプロケット３の端面部３１とが溶着接合部３２０を介して強固に溶着接合されている。
溶着接合部３２０は、電気抵抗溶接によって凸状溶着部３２が溶着され、この凸状溶着部３２が溶着される際にクラッチドラム２の側面部２１の表面とスプロケット３の端面部３１の表面とが溶け込んで分子間レベルで混合された溶融混合部である。
【００４１】
以上のように構成された本発明の実施形態に係るクラッチドラムコンプリート１の製造方法は、以下のような作用効果を奏する。
溶着接合部３２０は、電気抵抗溶接によって凸状溶融部３２が溶融され、クラッチドラム２の側面部２１の表面とスプロケット３の端面部３１の表面とが押圧されながら溶融されて混合された溶融混合部であるから、高い接合強度を有する。
【００４２】
また、クラッチドラム２の側面部２１とスプロケット３の端面部３１との間に溶着接合部３２０が密着して介在されることで、凸状溶融部３２の体積を適宜設定して十分な接合面積を確保することができる。
【００４３】
したがって、クラッチドラムコンプリート１の製造方法は、チェンソー等のように、エンジンによる駆動トルクや負荷が急激に変動して過酷な使用条件にさらされるチェンソー等のクラッチドラム２とスプロケット３との接合手段として好適に適用することができる。
【００４４】
また、スプロケット３の端面部３１に凸状溶融部３２を形成するという簡易な加工形態を採用しているため、加工工数および製造工程を効果的に抑制することができる。
【００４５】
なお、本実施形態においては、クラッチドラム２をプレス成形等によって成形し、スプロケット３の端面部３２に凸状溶融部３２を形成したが、これに限定されるものではなく、スプロケット３の端面部３２に形成せずにクラッチドラム２の側面２１に凸状溶融部を形成してもよいし、スプロケット３の端面部３２とクラッチドラム２の側面２１の両方に凸状溶融部を形成してもよい。
【００４６】
また、本実施形態においては、スプロケット３のボス部３１ａにクラッチドラム２の貫通穴２３を嵌入し、スプロケット３の係合凸部３１ｂとクラッチドラム２の凹部２４が嵌合され、クラッチドラム２の内周部および凹部２４にはフランジ部２３ａが形成されているため、より高い廻り止め機能を付加することができるが、これに限定されるものではなく、クラッチドラム２や動力伝達部材に作用する駆動トルク等の使用条件に応じて適宜設計変更することが望ましい。以下、本発明の実施形態に係るクラッチドラムコンプリート１の変形例１から変形例３について説明する。
【００４７】
本発明の実施形態に係るクラッチドラムコンプリート１の変形例１について、主として図６から図８を参照しながら説明する。変形例１に係るクラッチドラムコンプリート１Ａは、前記した実施形態におけるクラッチドラムコンプリート１がスプロケット３の端面部３１に凸状溶着部３２を形成しているのに対し、スプロケット３Ａには凸状溶着部を設けずにクラッチドラム２Ａの側面部２１Ａに半球形の凸状溶着部２１ａを形成している点、およびクラッチドラム２Ａの貫通穴２３Ａおよび凹部２４にフランジ部を設けていない点で前記した実施形態と相違する。
【００４８】
変形例１に係るクラッチドラムコンプリート１Ａの説明においては、主として前記したクラッチドラムコンプリート１との相違点について説明し、クラッチドラムコンプリート１と同様の構成については同じ符号を付して重複する説明は省略する。
【００４９】
クラッチドラムコンプリート１Ａのクラッチドラム２Ａは、図６に示すように、側面部２１Ａの中心部（軸心部）に形成された貫通穴２３Ａと、この貫通穴２３Ａよりも径方向外側に形成された半球形の凸状溶着部２１ａと、貫通穴２３Ａの内周部に形成された凹部２４と、を備えている。
【００５０】
半球形の凸状溶着部２１ａは、スプロケット３Ａの端面部３１Ａの方向に張り出した突起であり、軸方向の内周部側はへこみ形状をなして形成されている。凸状溶着部２１ａは、前記した実施形態におけるスプロケット３の端面部３１に設けられた凸状溶着部３２に相当し同様の作用効果を奏するため、重複する説明は省略する。
【００５１】
スプロケット３Ａは、図７（ａ）に示すように、端面部３１Ａにボス部３１ａが形成されているが、歯部３４の端面先端部には凸状溶着部は形成されていないため平面をなしている。このため、図８（ｂ）に示すように、スプロケット３Ａの歯部３４の端面先端部がクラッチドラム２Ａの側面部２１Ａに形成された半球形の凸状溶着部２１ａに当接した状態で、電気抵抗溶接によって半球形の凸状溶着部２１ａが溶着されて溶着接合部（不図示）を形成することで、スプロケット３Ａの側面部３１Ａがクラッチドラム２Ａの側面部２１Ａに溶着接合される。
なお、半球形の凸状溶着部２１ａが溶着されて形成される溶着接合部（不図示）は、図５（ｃ）に示す溶着接合部３２０と同様の構成であるので詳細な説明は省略する。
【００５２】
続いて、本発明の実施形態に係るクラッチドラムコンプリート１の変形例２について、主として図９を参照しながら説明する。変形例１に係るクラッチドラムコンプリート１Ｂは、主として前記した実施形態におけるクラッチドラム２の内周部、およびスプロケット３のボス部３１ａの形態が相違する。
【００５３】
クラッチドラムコンプリート１Ｂのクラッチドラム２Ｂは、図９に示すように、貫通穴２３Ｂが円形に形成されている点で、凹部２４が形成されたクラッチドラム２（図４参照）と相違する。そして、スプロケット３Ｂは、ボス部３１ａＢが貫通穴２３Ｂに適合する円環状の形状をなしている点で、ボス部３１ａの外周部に係合凸部３１ｂが形成されたスプロケット３（図４参照）と相違する。
【００５４】
クラッチドラムコンプリート１Ｂの製造方法は、クラッチドラムコンプリート１と同様であるので重複する説明は省略するが、同様に電気抵抗溶接によって凸状溶融部３２が溶融され、クラッチドラム２Ｂの側面部２１Ｂの表面とスプロケット３Ｂの端面部３１Ｂの表面とが押圧されながら溶融されて混合された溶着接合部（不図示）が形成され、高い接合強度を有し、廻り止め機能をも発揮する。
【００５５】
したがって、クラッチドラムコンプリート１Ｂの製造方法は、チェンソー等のように、エンジンによる駆動トルクや負荷が急激に変動して過酷な使用条件にさらされるチェン送等のクラッチドラム２Ｂとスプロケット３Ｂとの接合手段としても好適に適用することができる。
【００５６】
以上、本発明の実施形態と変形例について説明したが、本発明は前記した実施形態等に限定されず、適宜変更して実施することが可能である。
例えば、前記した実施形態に係る凸状溶融部３２（図３（ａ）参照）は、歯部３４の端面から軸方向に突出するように図示断面が直角三角形である略三角錐形状をなして形成したが、これに限定されるものではなく、図１０（ａ）に示すように、図示断面が不等辺三角形である略三角錐形状をなして形成してもよい。要するに、凸状溶融部の形状は、動力伝達部材の形状、加工のしやすさ、溶着接合部３２０（図５（ｃ）参照）の形態等を考慮して適宜設定される。
【００５７】
〈第３変形例〉
また、前記した実施形態に係るクラッチドラムコンプリート１の製造方法では、電気抵抗溶接によって側面部２１と端面部３１とを押圧しながら突起部３２を溶融して、突起部３２とクラッチドラム２の内周面とを溶着接合部３２０（図５（ｃ）参照）を介して溶融接合したが、変形例３に係るクラッチドラムコンプリート１Ｃは、側面部２１Ｃと端面部３１Ｃとを溶着接合部３２０（図５（ｃ）参照）によって溶融接合するのではなく、図１１と図１２に示すように、単に凸状部である突起部３２Ｃａをかしめてクラッチドラム２Ｃとスプロケット３Ｃとを一体として回転可能に固定してもよい。
なお、図１３と図１４に示すクラッチドラムコンプリート１Ｅおいて、前記した実施形態における第３変形例に係るクラッチドラムコンプリート１Ｃと同様の構成については同じ符号を付して詳細な説明は省略する。
【００５８】
クラッチドラムコンプリート１Ｃは、図１１に示すように、クラッチドラム２Ｃの側面部２１Ｃに形成された略三角形の廻り止め止め穴２１Ｃａと、この廻り止め穴２１Ｃａに適合しスプロケット３の端面部に形成された凸状部である断面が略三角形の突起部３２Ｃａと、を備えている。
【００５９】
クラッチドラムコンプリート１Ｃの製造方法は、突起部３２Ｃａをかしめてクラッチドラム２Ｃとスプロケット３Ｃとを一体として回転可能に固定することで、突起部３２Ｃａが廻り止め穴２１Ｃａに嵌合して係合されるため、クラッチドラムコンプリート１（図５（ｃ）参照）と同様の廻り止め機能を付加することができる。
【００６０】
なお、本変形例３においては、クラッチドラム２Ｃの側面部２１Ｃに廻り止め穴２１Ｃａを形成しスプロケット３Ｃの端面部３１Ｃに形成された凸状溶融部３２Ｃの先端部に廻り止め穴２１Ｃａに適合する断面が略三角形の突起部３２Ｃａを形成したが、これに限定されるものではなく、突起部３２Ｃａの形状は断面が円形であってもよいし、クラッチドラム２Ｃの側面部２１Ｃに突起部（不図示）を形成しスプロケット３の端面部に形成された凸状溶融部３２とは異なる位置に廻り止め穴（不図示）を形成してもよい。
【符号の説明】
【００６１】
１，１Ａ，１Ｂ，１Ｃ    クラッチドラムコンプリート
２，２Ａ，２Ｂ，２Ｃ    クラッチドラム
３，３Ａ，３Ｂ，３Ｃ    スプロケット（動力伝達部材）
１２      クラッチ装置
２１，２１Ａ，２１Ｂ，２１Ｃ    側面部
２１ａ    凸状溶融部
２１Ｂａ    廻り止め穴
２３，２３Ａ，２３Ｂ，２３Ｃ    貫通穴
２３ａ    フランジ部
２４      凹部
３１，３１Ａ，３１Ｂ，３１Ｃ    端面部
３１ａ，３１ａＢ    ボス部
３１ｂ    係合凸部
３２，３２Ｃ    凸状溶融部
３２Ｃａ    突起部(凸状部)
３４      歯部
８１，８２    電極
３２０    溶着接合部
【図１】
2016050588.tif 000003
【図２】
2016050588.tif 000004
【図３】
2016050588.tif 000005
【図４】
2016050588.tif 000006
【図５】
2016050588.tif 000007
【図６】
2016050588.tif 000008
【図７】
2016050588.tif 000009
【図８】
2016050588.tif 000010
【図９】
2016050588.tif 000011
【図１０】
2016050588.tif 000012
【図１１】
2016050588.tif 000013
【図１２】
2016050588.tif 000014
【手続補正書】
【提出日】平成27年11月2日(2015.11.2)
【手続補正１】
【補正対象書類名】特許請求の範囲
【補正対象項目名】全文
【補正方法】変更
【補正の内容】
【特許請求の範囲】
【請求項１】
クラッチ装置を介してエンジンの動力が伝達されるクラッチドラムと、このクラッチドラムの側面部に端面部が接合される動力伝達部材と、を有するクラッチドラムコンプリートの製造方法であって、
前記動力伝達部材は、外周部から径方向外側に伸びる多数の歯部が形成されたギヤ部材であり、
前記クラッチドラムは、前記側面部の中心部に形成された貫通穴と、
この貫通穴の内周部に形成された凹部と、を有し、
前記動力伝達部材は、前記端面部に形成され前記貫通穴に挿通されるボス部と、
このボス部の外周部に形成され前記凹部に食い込ませて係合させる前記歯部の基端部の形状に合致する係合凸部と、を有し、
前記凹部は、前記係合凸部に適合する形状からなり、
前記凹部と前記係合凸部とを嵌合させる嵌合工程と、
この嵌合工程によって前記凹部と前記係合凸部とを嵌合させた後、前記側面部および前記端面部のうち少なくとも一方に形成された凸状溶着部を前記側面部と前記端面部との間に挟んだ状態で、電気抵抗溶接によって当該側面部と当該端面部とを電極で押圧しながら当該凸状溶着部を溶接して、当該溶接した凸状溶着部からなる溶着接合部を介して当該側面部と当該端面部とを溶着接合する工程と、を含むこと、
を特徴とするクラッチドラムコンプリートの製造方法。
【請求項２】
前記貫通穴および前記凹部の内周部に、バーリング加工によってフランジ部が形成されていること、
を特徴とする請求項１に記載のクラッチドラムコンプリートの製造方法。
【請求項３】
前記歯部に前記凸状溶着部が形成されていること、
を特徴とする請求項１または請求項２に記載のクラッチドラムコンプリートの製造方法。
【請求項４】
クラッチ装置を介してエンジンの動力が伝達されるクラッチドラムと、このクラッチドラムの側面部に端面部が固定される動力伝達部材と、を有するクラッチドラムコンプリートの製造方法であって、
前記動力伝達部材は、外周部から径方向外側に伸びる多数の歯部が形成されたギヤ部材であり、
前記クラッチドラムは、前記側面部の中心部に形成された貫通穴と、
前記側面部に形成された廻り止め穴と、を有し、
前記動力伝達部材は、前記端面部に形成され前記貫通穴に挿通されるボス部と、
前記歯部の端面部に形成された凸状部と、を有し、
前記廻り止め穴は、前記凸状部に適合する形状からなり、
前記ボス部を前記貫通穴に挿通するとともに、前記凸状部を前記廻り止め穴に挿通する挿通工程と、
この挿通工程によって前記凸状部を前記廻り止め穴に挿通した状態で、前記凸状部をかしめて前記クラッチドラムと前記動力伝達部材とを一体として結合する工程と、を含むこと、
を特徴とするクラッチドラムコンプリートの製造方法。
【手続補正２】
【補正対象書類名】明細書
【補正対象項目名】０００７
【補正方法】変更
【補正の内容】
【０００７】
前記課題を解決するため、本発明は、クラッチ装置を介してエンジンの動力が伝達されるクラッチドラムと、このクラッチドラムの側面部に端面部が接合される動力伝達部材と、を有するクラッチドラムコンプリートの製造方法であって、前記動力伝達部材は、外周部から径方向外側に伸びる多数の歯部が形成されたギヤ部材であり、前記クラッチドラムは、前記側面部の中心部に形成された貫通穴と、この貫通穴の内周部に形成された凹部と、を有し、前記動力伝達部材は、前記端面部に形成され前記貫通穴に挿通されるボス部と、このボス部の外周部に形成され前記凹部に食い込ませて係合させる前記歯部の基端部の形状に合致する係合凸部と、を有し、前記凹部は、前記係合凸部に適合する形状からなり、前記凹部と前記係合凸部とを嵌合させる嵌合工程と、この嵌合工程によって前記凹部と前記係合凸部とを嵌合させた後、前記側面部および前記端面部のうち少なくとも一方に形成された凸状溶着部を前記側面部と前記端面部との間に挟んだ状態で、電気抵抗溶接によって当該側面部と当該端面部とを電極で押圧しながら当該凸状溶着部を溶接して、当該溶接した凸状溶着部からなる溶着接合部を介して当該側面部と当該端面部とを溶着接合する工程と、を含むこと、を特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
また本発明において、凹部は、例えば、動力伝達部材の軸心部の形状に適合するように形成して前記凹部と前記係合凸部とを係合させた状態で、前記側面部と前記端面部とを接合することで、クラッチドラムコンプリートに対して、より強固な廻り止め機能を付加することも可能となる。
このため、エンジンの駆動トルクが高いより過酷な使用条件であっても好適に適用することができる。
【手続補正５】
【補正対象書類名】明細書
【補正対象項目名】００１４
【補正方法】変更
【補正の内容】
【００１４】
本発明の請求項２に係る発明は、請求項１に記載のクラッチドラムコンプリートの製造方法であって、前記貫通穴および前記凹部の内周部に、ギヤ形状のバーリング加工によってフランジ部が形成されていること、を特徴とする。
【手続補正６】
【補正対象書類名】明細書
【補正対象項目名】００１７
【補正方法】変更
【補正の内容】
【００１７】
本発明の請求項３に係る発明は、請求項１または請求項２に記載のクラッチドラムコンプリートの製造方法であって、前記歯部に前記凸状溶着部が形成されていること、を特徴とする。
【手続補正７】
【補正対象書類名】明細書
【補正対象項目名】００１９
【補正方法】変更
【補正の内容】
【００１９】
本発明の請求項５に係る発明は、クラッチ装置を介してエンジンの動力が伝達されるクラッチドラムと、このクラッチドラムの側面部に端面部が固定される動力伝達部材と、を有するクラッチドラムコンプリートの製造方法であって、前記動力伝達部材は、外周部から径方向外側に伸びる多数の歯部が形成されたギヤ部材であり、前記クラッチドラムは、前記側面部の中心部に形成された貫通穴と、前記側面部に形成された廻り止め穴と、を有し、前記動力伝達部材は、前記端面部に形成され前記貫通穴に挿通されるボス部と、前記歯部の端面部に形成された凸状部と、を有し、前記廻り止め穴は、前記凸状部に適合する形状からなり、前記ボス部を前記貫通穴に挿通するとともに、前記凸状部を前記廻り止め穴に挿通する挿通工程と、この挿通工程によって前記凸状部を前記廻り止め穴に挿通した状態で、前記凸状部をかしめて前記クラッチドラムと前記動力伝達部材とを一体として結合する工程と、を含むこと、を特徴とする。